(57)【要約】【課題】本発明は、使用者の目に直接光源が入りにくく、眩しさを抑制することができる照明装置を提供することを課題とする。【解決手段】発光面を含む面発光モジュールと、間隔を空けて面発光モジュールを覆う反射板を有し、反射板は、断面形状が一つの頂点から二つの底点に向かって延びており、面発光モジュールは、発光面が反射板の頂点側と対向し、少なくとも一部が２つの底点を通る一つの仮想平面Ｐ上に位置しており、仮想平面Ｐにおいて、面発光モジュールと反射板との間に隙間が存在する構成とする。【選択図】図８
2018055807.tif 000002
【特許請求の範囲】
【請求項１】
発光面を含む面発光モジュールと、間隔を空けて前記面発光モジュールを覆う反射板を有した照明装置であって、
前記反射板は、断面形状が一つの頂点から二つの底点に向かって延びており、
前記面発光モジュールは、前記発光面が前記反射板の頂点側と対向し、少なくとも一部が前記２つの底点を通る一つの仮想平面上に位置しており、
前記仮想平面において、前記面発光モジュールと前記反射板との間に隙間が存在することを特徴とする照明装置。
【請求項２】
前記反射板は、以下の（１）又は（２）の形状をしていることを特徴とする請求項１に記載の照明装置。
（１）前記一つの頂点から前記二つの底点に向かって曲面状に広がった形状
（２）前記二つの底点を通る二つの平面が前記一つの頂点で連結した形状
【請求項３】
前記発光面は、点灯時に実際に発光する発光領域を有し、
前記発光領域は、前記仮想平面に対する距離が５ｍｍ以下の範囲に配されていることを特徴とする請求項１又は２に記載の照明装置。
【請求項４】
被取付面に対して取り付け可能な取付部と、前記反射板と前記取付部を接続する接続部材を有し、
前記反射板は、前記二つの底点よりも前記頂点側に前記接続部材が接続されて前記取付部から垂下されており、
前記反射板は、前記二つの底点に第１錘部をそれぞれ備えていることを特徴とする請求項１〜３のいずれかに記載の照明装置。
【請求項５】
前記反射板を下方側からみたときに、前記一つの頂点と各第１錘部の距離が等しいことを特徴とする請求項４に記載の照明装置。
【請求項６】
前記接続部材を複数有し、
前記接続部材は、それぞれ紐状であって、直線状に並設されており、
前記第１錘部は、各接続部材を繋ぐ直線を挟んで対向していることを特徴とする請求項４又は５に記載の照明装置。
【請求項７】
被取付面に対して取り付け可能な取付部を有し、
前記面発光モジュールは、前記取付部又は前記反射板から、発光面が前記被取付面側を向くように垂下されており、
前記面発光モジュールは、一対の第２錘部を有し、
前記面発光モジュールは、断面視したときに、中央部と前記一対の第２錘部との距離が等しいことを特徴とする請求項１〜６のいずれかに記載の照明装置。
【請求項８】
前記面発光モジュールは、断面視したときに、前記２つの第２錘部が両端部に位置することを特徴とする請求項７に記載の照明装置。
【請求項９】
前記面発光モジュールは、複数の面発光パネルが並設されて構成されており、
前記第２錘部は、前記面発光パネルの並設方向に延びていることを特徴とする請求項７又は８に記載の照明装置。
【請求項１０】
被取付面に対して取り付け可能な取付部を有し、
前記面発光モジュールは、前記取付部又は前記反射板から発光面が前記被取付面側を向くように垂下されており、
前記反射板は、前記面発光モジュールの発光面の広がり方向であって、所定の方向に開放しており、
前記面発光モジュールは、前記所定の方向の端部が前記反射板の端部よりも内側に位置していることを特徴とする請求項１〜９のいずれかに記載の照明装置。
【発明の詳細な説明】
【技術分野】
【０００１】
本発明は、照明装置に関する。特に局所的に照射対象物を照らす局所照明として機能する照明装置に関する。
【背景技術】
【０００２】
従来から局所照明の一つとして、ペンダントライトがある（例えば、特許文献１）。
このペンダントライトは、天井から吊り下げられて点光源を照射対象物に近い位置に配するものである。また、このペンダントライトは、点光源を下方に開口を有したペンダントシェードで覆い、光照射方向が照射対象物を向くように設けられている。
このペンダントライトによれば、天井よりも低い位置に点光源を設け、直接光を照射対象物に照射することができるため、局所的に照射対象物を照らし、通常の天井に設けられる照明に比べて明るく照らすことができる。
【先行技術文献】
【特許文献】
【０００３】
【特許文献１】特開２０１６−９６００９号公報
【発明の概要】
【発明が解決しようとする課題】
【０００４】
従来のペンダントライトは、上記したように、光源としてＬＥＤ等の点光源が使用されており、直接使用者側に硬い照射光が照射される。そのため、照射光が使用者の目に直接入り、使用者がギラギラと眩しく感じてしまい、長時間使用すると目が疲れるという問題がある。
【０００５】
そこで、本発明は、使用者の目に直接光源が入りにくく、眩しさを抑制できる照明装置を提供することを課題とする。
【課題を解決するための手段】
【０００６】
上記した課題を解決するための請求項１に記載の発明は、発光面を含む面発光モジュールと、間隔を空けて前記面発光モジュールを覆う反射板を有した照明装置であって、前記反射板は、断面形状が一つの頂点から二つの底点に向かって延びており、前記面発光モジュールは、前記発光面が前記反射板の頂点側と対向し、少なくとも一部が前記２つの底点を通る一つの仮想平面上に位置しており、前記仮想平面において、前記面発光モジュールと前記反射板との間に隙間が存在することを特徴とする照明装置である。
【０００７】
本発明の構成によれば、面発光モジュールの発光面が反射板の頂点側と間隔を空けて対向しており、照明装置全体の光照射方向と反対側を向いている。すなわち、光照射方向に位置する使用者側からみて、面発光モジュール自身によって発光面が隠されているので、面発光モジュールの光照射面たる発光面が使用者の目に直接入らない。そのため、使用者がギラギラとして眩しさを感じることを防止でき、目も疲れにくくできる。
また、本発明の構成によれば、発光面が隠されており、点灯時において、仮想平面において面発光モジュールと反射板との間の隙間から反射板からの反射光が出射されるので、使用者側から発光面の位置が視認不能となり、幻想的な雰囲気を演出することができる。
本発明の構成によれば、面発光モジュールの少なくとも一部が２つの底点を通る一つの仮想平面上に位置しているので、前記仮想平面に対して直交する方向において面発光モジュールと反射板との間でほとんど段差が生じず、光漏れしにくい。
【０００８】
請求項２に記載の発明は、前記反射板は、以下の（１）又は（２）の形状をしていることを特徴とする請求項１に記載の照明装置である。
（１）前記一つの頂点から前記二つの底点に向かって曲面状に広がった形状
（２）前記二つの底点を通る二つの平面が前記一つの頂点で連結した形状
【０００９】
本発明の構成によれば、反射板での反射光が均等に広がるので光ムラができにくく、反射板と面発光モジュールの隙間から照射対象物を均等に照らすことができる。そのため、反射板の下部も比較的暗くなりにくい。
【００１０】
請求項３に記載の発明は、前記発光面は、点灯時に実際に発光する発光領域を有し、前記発光領域は、前記仮想平面に対する距離が５ｍｍ以下の範囲に配されていることを特徴とする請求項１又は２に記載の照明装置である。
【００１１】
本発明の構成によれば、点灯時における反射板からの反射光が反射板と面発光モジュールの間から光漏れしにくい。
【００１２】
請求項４に記載の発明は、被取付面に対して取り付け可能な取付部と、前記反射板と前記取付部を接続する接続部材を有し、前記反射板は、前記二つの底点よりも前記頂点側に前記接続部材が接続されて前記取付部から垂下されており、前記反射板は、前記二つの底点に第１錘部をそれぞれ備えていることを特徴とする請求項１〜３のいずれかに記載の照明装置である。
【００１３】
本発明の構成によれば、第１錘部が二つの底点に位置しているので、重心を底点側にすることができ、反射板の姿勢を安定させることができる。
【００１４】
請求項５に記載の発明は、前記反射板を下方側からみたときに、前記一つの頂点と各第１錘部の距離が等しいことを特徴とする請求項４に記載の照明装置である。
【００１５】
本発明の構成によれば、反射板がより安定した姿勢を取ることができる。
【００１６】
請求項６に記載の発明は、前記接続部材を複数有し、前記接続部材は、それぞれ紐状であって、直線状に並設されており、前記第１錘部は、各接続部材を繋ぐ直線を挟んで対向していることを特徴とする請求項４又は５に記載の照明装置である。
【００１７】
本発明の構成によれば、紐状の接続部材が直線状に並んでおり、接続部材を繋ぐ直線を挟んで第１錘部が対向しているため、反射板がより安定した姿勢を取ることができる。
【００１８】
請求項７に記載の発明は、被取付面に対して取り付け可能な取付部を有し、前記面発光モジュールは、前記取付部又は前記反射板から、発光面が前記被取付面側を向くように垂下されており、前記面発光モジュールは、一対の第２錘部を有し、前記面発光モジュールは、断面視したときに、中央部と前記一対の第２錘部との距離が等しいことを特徴とする請求項１〜６のいずれかに記載の照明装置である。
【００１９】
本発明の構成によれば、中央部を挟んで対をなすそれぞれの端部側にそれぞれの第２錘部が設けられているため、低い位置に重心を取ることができ、面発光モジュールの姿勢の安定性が高い。
【００２０】
請求項８に記載の発明は、前記面発光モジュールは、断面視したときに、前記２つの第２錘部が両端部に位置することを特徴とする請求項７に記載の照明装置である。
【００２１】
本発明の構成によれば、面発光モジュールがより安定した姿勢を取ることができる。
【００２２】
請求項９に記載の発明は、前記面発光モジュールは、複数の面発光パネルが並設されて構成されており、前記第２錘部は、前記面発光パネルの並設方向に延びていることを特徴とする請求項７又は８に記載の照明装置である。
【００２３】
本発明の構成によれば、第２錘部が前記面発光パネルの並設方向に延びているので、安定性が増すのに加えて、面発光パネルの並設方向における剛性も補強することができる。
【００２４】
請求項１０に記載の発明は、被取付面に対して取り付け可能な取付部を有し、前記面発光モジュールは、前記取付部又は前記反射板から発光面が前記被取付面側を向くように垂下されており、前記反射板は、前記面発光モジュールの発光面の広がり方向であって、所定の方向に開放しており、前記面発光モジュールは、前記所定の方向の端部が前記反射板の端部よりも内側に位置していることを特徴とする請求項１〜９のいずれかに記載の照明装置である。
【００２５】
本発明の構成によれば、面発光モジュールの所定の方向の端部が、反射板の所定の方向の端部よりも内側に位置しているため、反射板の開放部分から光が漏れにくい。
【発明の効果】
【００２６】
本発明の照明装置によれば、使用者の目に直接光源が入りにくく、眩しさを抑制できる。
【図面の簡単な説明】
【００２７】
【図１】本発明の第１実施形態における照明装置の使用状態を模式的に示す斜視図である。
【図２】図１の照明装置の分解斜視図である。
【図３】図２の面発光モジュールを発光面側からみた平面図である。
【図４】図２の面発光モジュールの分解斜視図である。
【図５】図２の照明装置の断面図である。
【図６】図４の面発光パネルの平面図である。
【図７】図１の照明装置を下方側からみた平面図である。
【図８】図１の照明装置の説明図であり、仮想平面を表した斜視図である。
【図９】本発明の第２実施形態の照明装置の斜視図である。
【図１０】図９の面発光モジュールの分解斜視図である。
【図１１】図９の照明装置の断面図である。
【図１２】本発明の他の実施形態の照明装置の斜視図である。
【図１３】本発明の他の実施形態の面発光モジュールの斜視図である。
【図１４】本発明の他の実施形態の照明装置の斜視図である。
【図１５】本発明の他の実施形態の照明装置の斜視図である。
【図１６】本発明の他の実施形態の照明装置の斜視図である。
【図１７】本発明の他の実施形態の照明装置の断面図であり、（ａ）は反射板の中心角が１８０度以上の場合の図であり、（ｂ）は反射板が４面で構成される場合の図である。
【図１８】本発明の他の実施形態の照明装置の断面図である。
【発明を実施するための形態】
【００２８】
以下、本発明の実施形態について詳細に説明する。
【００２９】
本発明の第１実施形態の照明装置１は、図１に示されるように、天井面３００（被取付面）から吊り下げられるペンダントライトであって、テーブル等の照射対象物３０２の照射対象面３０３を局所的に照らす局所照明装置である。
照明装置１は、図２に示されるように、面発光モジュール２と、反射板３と、取付部５と、一対の接続部材６ａ，６ｂを備えている。
【００３０】
面発光モジュール２は、図２，図４から読み取れるように、所定の方向Ｘに延びた長板状の発光装置である。
面発光モジュール２は、図４のように、複数の面発光パネル１０と、フレーム部材１１と、保護部材１２を備えている。
面発光パネル１０は、面状に広がりをもち、面状光を放射可能な発光パネルである。
面発光パネル１０は、軽量かつ薄型とする観点から、有機ＥＬパネルであることが好ましい。面発光パネル１０として有機ＥＬパネルを採用することによって、柔らかさや高演色性等の優れた特性の照明光を容易に得ることができ、拡散光を照射することも可能となっている。
なお、面発光パネル１０は、可撓性を有した可撓性パネルであってもよい。
【００３１】
面発光パネル１０は、一方の主面側に発光面１５を有している。
発光面１５には、図６のように、点灯時に、実際に発光する発光領域２０と、発光領域２０を囲む非発光の額縁領域２１が存在する。
発光領域２０は、点灯時に実際に発光し、光を照射する領域である。
発光領域２０は、正面視したときに、陽極層と、有機発光層を含む有機機能層と、陰極層の重畳部分であり、陽極層と有機機能層と陰極層がこの順に積層した有機ＥＬ素子に対応する部分である。すなわち、発光領域２０では、陽極層と陰極層に電圧を印加することによって有機発光層が発光し、光を照射することが可能となっている。
【００３２】
発光領域２０は、四角形状をしており、発光面１５の中央に設けられている。
額縁領域２１は、面発光パネル１０の縁に沿って延び、発光領域２０を囲むように連続した非発光領域である。すなわち、額縁領域２１は、発光領域２０の外側に位置しており、四角環状をしている。
【００３３】
フレーム部材１１は、図２，図４から読み取れるように、本体部３０と、固定部３１ａ，３１ｂと、一対のパネル側錘部３２ａ，３２ｂ（第２錘部）を備えている。
本体部３０は、図４から読み取れるように、横長長方形状の部位であり、面発光パネル１０を収容可能な凹部３５を備えている。
凹部３５は、面発光パネル１０を嵌合させて固定可能な凹部であり、底部に凸条部３６，３７を備えている。
凸条部３６，３７は、底部から厚み方向（上下方向）に突出したリブであり、面発光パネル１０を支持する支持部でもある。
【００３４】
固定部３１ａ，３１ｂは、接続部材６ａ，６ｂの下端部と接続可能な部位であり、本体部３０から厚み方向（上下方向）に突出した円筒状の突出部である。すなわち、固定部３１ａ，３１ｂは、接続部材６ａ，６ｂの端部を挿着可能な挿着穴を備えている。
固定部３１ａ，３１ｂは、縦方向Ｙの中央部に設けられ、横方向Ｘに並設されている。
【００３５】
パネル側錘部３２ａ，３２ｂは、面発光モジュール２の重量バランスを調整する錘であり、フレーム部材１１の他の部分よりも重い材料で形成されている。
パネル側錘部３２ａ，３２ｂは、フレーム部材１１の縦方向Ｙ（短手方向）の端部にそれぞれ設けられ、フレーム部材１１の横方向Ｘ（長手方向）に延びた棒状の部位である。
パネル側錘部３２ａ，３２ｂの重量は、面発光モジュール２の他の部材の重量によって適宜変更可能であるが、面発光モジュール２の重量の５％以上２０％以下であることが好ましい。
【００３６】
保護部材１２は、面発光パネル１０の発光面１５を保護する板状部材である。
保護部材１２は、透光性を有した透光性部材であり、片面に光散乱性をもつ光散乱部４０を備えている。本実施形態の保護部材１２は、片面に光散乱部４０に相当する微細な表面凹凸が形成されたアクリル板である。
保護部材１２は、図４から読み取れるように、固定部３１ａ，３１ｂを挿通可能な挿通孔４１ａ，４１ｂを備えている。
【００３７】
ここで、面発光モジュール２の各部位の位置関係について説明する。
パネル側錘部３２ａとパネル側錘部３２ｂは、本体部３０を介して縦方向Ｙに対向している。本実施形態では、パネル側錘部３２ａとパネル側錘部３２ｂは、図５のように、断面視したときに縦方向Ｙの中央に位置する固定部３１ａ，３１ｂを挟んで対向しており、縦方向Ｙの両端部に位置している。
面発光モジュール２は、図３に示されるように、複数の面発光パネル１０が横方向Ｘに一列に並設されている。隣接する面発光パネル１０，１０の間に固定部３１ａ，３１ｂが位置している。パネル側錘部３２ａとパネル側錘部３２ｂは、面発光パネル１０の並設方向に延びている。
【００３８】
パネル側錘部３２ａとパネル側錘部３２ｂは、同じ重量であり、縦方向Ｙにおいて、本体部３０の中心位置（中心点）に位置する固定部３１ａ（３１ｂ）からパネル側錘部３２ａの距離は、固定部３１ａ（３１ｂ）からパネル側錘部３２ｂの距離と等しい。すなわち、縦方向Ｙにおけるパネル側錘部３２ａとパネル側錘部３２ｂで働くモーメントは等しい。
また、横方向Ｘにおいて、固定部３１ａ，３１ｂと本体部３０の両端部の距離は、等しく、固定部３１ａ，３１ｂと本体部３０の中心位置（中心点）の距離も等しい。
【００３９】
反射板３は、接続部材６ａ，６ｂによって吊り下げられ、やじろべえのように重心を下方側にもつ板体であり、半筒状の部材である。
反射板３は、図２に示されるように、本体部５０と、一対の板側錘部５１ａ，５１ｂ（第１錘部）を備えている。
本体部５０は、横方向Ｘから視たときに、円弧状に折れ曲がった板状体であり、図５のように、頂点５２から２つの底点５３ａ，５３ｂに向かって広がった円弧を形成している。すなわち、本体部５０は、頂点５２が横方向Ｘに連なった頂線５７と底点５３ａ，５３ｂが横方向Ｘに連なった各底線５８ａ，５８ｂを結ぶように曲面状に広がっている。
反射板３は、本体部５０の頂線５７上に接続部５５ａ，５５ｂを備えている。
接続部５５ａ，５５ｂは、本体部５０から立設した筒状の部位であり、接続部材６ａ，６ｂを挿通可能となっている。
【００４０】
本体部５０の少なくとも内側面（面発光モジュール２側の面）は、白濁拡散表面又は鏡面であることが好ましい。本体部５０の少なくとも内側面は、光を反射可能な反射面であることが好ましい。
本体部５０の底点５３ａ，５３ｂには、板側錘部５１ａ，５１ｂが底線５８ａ，５８ｂに沿ってそれぞれ取り付けられている。
板側錘部５１ａ，５１ｂは、反射板３の重量バランスを調整する錘であり、反射板３の他の部分よりも重い材料で形成されている。
【００４１】
また、反射板３は、その内側に、発光面１５の広がり方向であって、横方向Ｘ（長手方向）に開放した設置空間５６を備えている。
設置空間５６は、本体部５０によって囲まれた空間であり、組み立てたときに面発光モジュール２の一部又は全部が配される空間である。
【００４２】
取付部５は、天井面３００に対して取り付け可能な部位であり、接続部材６ａ，６ｂを垂下した姿勢で保持できる部位である。
【００４３】
接続部材６ａ，６ｂは、取付部５と、反射板３及び面発光モジュール２を接続する部材であって、紐状に延びた紐状部材である。
本実施形態では、接続部材６ａ，６ｂは、ステンレスワイヤーを採用している。
【００４４】
続いて、本実施形態の照明装置１の各部材の位置関係について説明する。
【００４５】
取付部５は、天井面３００に対して取り付けられている。
接続部材６ａ，６ｂは、上端部が取付部５に固定され、その中間部が反射板３の接続部５５ａ，５５ｂに通過し、その下端部が面発光モジュール２のフレーム部材１１の固定部３１ａ，３１ｂに固定されている。すなわち、反射板３は、接続部材６ａ，６ｂの中間部に固定されて吊り下げられており、面発光モジュール２は、接続部材６ａ，６ｂの下端部に固定されて吊り下げられている。
接続部材６ａ，６ｂは、頂線５７上に所定の間隔を空けて並んでいる。すなわち、接続部材６ａ，６ｂは、横方向Ｘにおいて直線状に並んでいる。
【００４６】
面発光モジュール２は、反射板３の設置空間５６内に配されており、反射板３は、所定の間隔を空けて面発光モジュール２を覆っている。
図５に示すように仮想平面Ｐにおいて反射板３と面発光モジュール２の間には、隙間６０ａ，６０ｂが形成されている。具体的には、面発光モジュール２の縦方向Ｙの両端部に隙間６０ａ，６０ｂが形成されている。
【００４７】
下方側からみたときに、図７に示されるように、面発光モジュール２の横方向Ｘ（長手方向）の端部は、反射板３の横方向Ｘ（長手方向）の端部よりも内側に位置している。面発光モジュール２の両端部は、反射板３の両端部よりも１ｃｍ以上内側に位置していることが好ましく、２．５ｃｍ以上内側に位置していることがより好ましい。
反射板３の端面から面発光モジュール２の端面までの距離Ｒは、面発光パネル１０の一辺の２５％以上１５０％以下であることが好ましく、面発光パネル１０の一辺の５０％以上１００％以下であることがより好ましい。この範囲であれば、十分な発光面積を確保しつつ、面発光モジュール２の最も横方向Ｘにおける端部側に位置する面発光パネル１０からの出射光が面発光モジュール２と反射板３との横方向Ｘにおける隙間から漏れることを防止できる。
反射板３は、その一部が面発光モジュール２によって隠されている。具体的には、面発光モジュール２は、横方向Ｘにおいて反射板３の６０％以上の範囲で重なっている。
【００４８】
面発光モジュール２のパネル側錘部３２ａ，３２ｂの縦方向Ｙの外側には、反射板３の板側錘部５１ａ，５１ｂがそれぞれ位置している。
パネル側錘部３２ａ，３２ｂと板側錘部５１ａ，５１ｂは、空間を空けて対向している。
面発光モジュール２の発光面１５は、図５に示されるように、反射板３の頂点５２側を向いており、面発光モジュール２は、反射板３の板側錘部５１ａ，５１ｂを通過する仮想平面Ｐ上に位置している。すなわち、面発光モジュール２は、図５，図８から読み取れるように、板側錘部５１ａ，５１ｂ間を繋ぐ直線を含む仮想平面Ｐ内に位置している。
反射板３の最下面と面発光モジュール２の発光領域２０の段差は、５ｍｍ以内であることがより好ましく、２ｍｍ以内であることがさらに好ましい。
反射板３の最下面と面発光モジュール２の最下面は、実質的に段差が生じていないこと、すなわち、実質的に面一であることが好ましい。
面発光モジュール２は、横方向Ｘ（長手方向）からみたときに、反射板３で隠されておらず、直接視認可能となっている。
【００４９】
第１実施形態の照明装置１によれば、パネル側錘部３２ａ，３２ｂが本体部３０の端部にそれぞれ設けられており、接続部材６ａ，６ｂからパネル側錘部３２ａ，３２ｂまでの距離が等しいので、モーメントが等しく、パネル側錘部３２ａ，３２ｂを設けない場合に比べて重心が面発光パネル１０よりも下方に移動する。そのため、面発光モジュール２が安定した姿勢を保持できる。
同様に、第１実施形態の照明装置１によれば、板側錘部５１ａ，５１ｂが本体部５０の端部にそれぞれ設けられており、接続部材６ａ，６ｂから板側錘部５１ａ，５１ｂまでの距離が等しいので、モーメントが等しく、板側錘部５１ａ，５１ｂを設けない場合に比べて重心が本体部５０よりも下方に移動する。そのため、反射板３が安定した姿勢を保持できる。
【００５０】
第１実施形態の照明装置１によれば、面発光モジュール２の発光面１５が反射板３の横方向Ｘの端部よりも内側に位置しているので、発光面１５の発光領域２０からの光が実質的に全て反射板３で反射される。そのため、光量を大きくすることができる。
【００５１】
第１実施形態の照明装置１によれば、使用者側からみて、面発光モジュール２の発光面１５が反射板３の頂点５２と対向しており、使用者側からみて面発光モジュール２自身によって発光面１５の発光領域２０が隠されている。そのため、面発光モジュール２の発光面１５の発光領域２０が使用者の目に直接入らないので、ギラギラとして眩しさを感じることを防止でき、目も疲れにくくできる。また、使用者に発光面１５の位置をわかりにくくでき、幻想的な雰囲気を演出することができる。
また、第１実施形態の照明装置１によれば、面発光モジュール２からの柔らかい光が反射板３で反射され、さらに柔らかい反射光となって面発光モジュール２と反射板３の仮想平面Ｐにおける隙間６０ａ，６０ｂから出射されるので、使用者がギラツキ等の違和感を生じにくい。
第１実施形態の照明装置１によれば、面発光モジュール２が２つの底点５３ａ，５３ｂを通る一つの仮想平面Ｐ上に位置しているので、点灯時における発光領域２０からの光を反射板３で反射させた反射光が、高さ方向における反射板３と面発光モジュール２との間から光漏れしにくい。また、反射板３が左右対称となっているため、反射板３と面発光モジュール２の隙間から均等に光が出射され、反射板３の下部も比較的暗くなりにくい。
【００５２】
第１実施形態の照明装置１によれば、設置空間５６が反射板３と面発光モジュール２との隙間から横方向Ｘに開放しているので、面発光モジュール２の発光面１５からの光が当該隙間から漏れるおそれがある。
そこで、第１実施形態の照明装置１によれば、面発光モジュール２の横方向Ｘの端部を反射板３の横方向Ｘの端部よりも内側に配しているため、反射板３の設置空間５６の開放方向から光が漏れることを防止することができる。
【００５３】
続いて、第２実施形態の照明装置１００について説明する。第１実施形態と同様の構成については同一の符号を付して説明を省略する。
【００５４】
第２実施形態の照明装置１００は、第１実施形態の照明装置１と反射板の形状が異なる。
【００５５】
第２実施形態の照明装置１００の反射板１０１は、図９，図１０，図１１から読み取れるように、本体部１０２と、板側錘部５１ａ，５１ｂを備えている。
本体部１０２は、傘状であり、側面視したときに、２つの板状部１０３ａ，１０３ｂが頂線５７で重なって形成されている。
板状部１０３ａ，１０３ｂは、傾斜面を構成しており、頂線５７側から底線５８ａ，５８ｂ側に向かうにつれて板状部１０３ａ，１０３ｂ間の距離が漸次広がっている。
板状部１０３ａと板状部１０３ｂでなす角度θ１は、図１１に示されるように、４５度以上１３５度以下であることが好ましく、６０度以上１２０度以下であることがより好ましい。本実施形態では、板状部１０３ａと板状部１０３ｂでなす角度θ１は、９０度となっている。
接続部材６ａ（６ｂ）と板状部１０３ａとでなす角度θ２は、接続部材６ａ（６ｂ）と板状部１０３ａとでなす角度θ３と等しい。
板状部１０３ａ，１０３ｂの下端部たる底線５８ａ，５８ｂには、板側錘部５１ａ，５１ｂがそれぞれ取り付けられている。
板状部１０３ａ，１０３ｂの長さ（頂線５７から底線５８ａ，５８ｂまでの長さ）は、等しい。
【００５６】
反射板１０１は、発光面１５の広がり方向であって、横方向Ｘ（長手方向）に開放した設置空間１０５を備えている。
設置空間１０５は、本体部１０２の板状部１０３ａ，１０３ｂによって囲まれた空間であり、組み立てたときに面発光モジュール２の一部又は全部が配される空間である。
板状部１０３ａ，１０３ｂの内側面は、白濁拡散表面又は鏡面であることが好ましい。すなわち、板状部１０３ａ，１０３ｂの内側面は、光を反射可能な反射面であることが好ましい。
【００５７】
続いて、第２実施形態の照明装置１００の各部材の位置関係について説明する。
【００５８】
面発光モジュール２と反射板１０１は、図１１に示されるように、二等辺三角形状に配されている。
反射板１０１は、設置空間１０５内に面発光モジュール２が配されており、所定の間隔を空けて面発光モジュール２を覆っている。
下方側からみたときに、面発光モジュール２の横方向Ｘ（長手方向）の端部は、反射板１０１の横方向Ｘ（長手方向）の端部よりも内側に位置している。そのため、反射板１０１は、その一部が面発光モジュール２によって隠されている。具体的には、面発光モジュール２は、横方向Ｘにおいて反射板１０１の６０％以上の範囲で重なっている。
接続部材６ａ，６ｂの反射板１０１と面発光モジュール２を繋ぐ部分の長さ（反射板１０１の接続部５５ａ，５５ｂから面発光モジュール２の固定部３１ａ，３１ａまでの距離）は、面発光モジュール２の固定部３１ａ，３１ｂから底点５３ａ，５３ｂまでの距離と等しい。
【００５９】
上記した実施形態では、面発光モジュール２は、複数枚の面発光パネル１０を備えるものであったが、本発明はこれに限定されるものではない。面発光モジュール２は、図１２のように１枚の面発光パネル１０を備えるものであってもよい。
【００６０】
上記した実施形態では、面発光モジュール２は、面発光パネル１０が横方向Ｘに一列に並んだものであったが、本発明はこれに限定されるものではない。例えば、図１３のように縦方向Ｙに二列となるように並んでいてもよいし、三列以上になるように並んでいてもよい。
【００６１】
上記した実施形態では、パネル側錘部３２ａ，３２ｂと板側錘部５１ａ，５１ｂは、面発光モジュール２及び反射板の同一方向たる縦方向Ｙの端部に設けられていたが、本発明はこれに限定されるものではない。例えば、図１４のように、面発光モジュール２の横方向Ｘの端部にパネル側錘部３２ａ，３２ｂを設け、反射板３の縦方向Ｙの端部に板側錘部５１ａ，５１ｂを設けてもよい。
【００６２】
上記した第１実施形態では、反射板３の形状が半円筒状であったが、本発明はこれに限定されるものではない。例えば、図１５のように、反射板２５０の外観は、半球状の外観であってもよい。この場合、面発光モジュール２は、全体として正方形状の発光面１５をもっていることが好ましい。面発光モジュール２の縦横方向が塞がれるため、より光もれの少ない照明装置となる。
【００６３】
上記した実施形態では、反射板３の設置空間５６が長手方向の端部から開放されていたが、本発明はこれに限定されるものではない。図１６のように、反射板３の設置空間５６が長手方向の端部においても閉塞部１５１ａ，１５１ｂによって閉塞されていてもよい。
このとき、閉塞部１５１ａ，１５１ｂは、上方から下方に向かうにつれて漸次広がっている構造であることが好ましい。
【００６４】
上記した第１実施形態では、反射板３の断面形状が中心角１８０度の円弧であったが、本発明はこれに限定されるものではない。図１７（ａ）のように反射板３の断面形状は中心角１８０度以上の円弧であってもよい。
また、上記した第２実施形態では、反射板１０１は、２枚の板状部１０３ａ，１０３ｂが頂線５７で一つの角部を構成する構造であったが、本発明はこれに限定されるものではない。例えば、図１７（ｂ）のように、複数の板状部１０３ａ〜１０３ｄが連結され、板状部１０３ｂ，１０３ｃでなす頂線５７以外の部分で隣接する板状部１０３ａ，１０３ｂ間及び板状部１０３ｃ，１０３ｄ間で角部１５２ａ，１５２ｂを構成するものであってもよい。
【００６５】
上記した実施形態では、２本の接続部材６ａ，６ｂによって反射板３及び面発光モジュール２が吊り下げられていたが、本発明はこれに限定されるものではない。２本以上の接続部材６によって反射板３及び面発光モジュール２を吊り下げてもよい。この場合、接続部材６は所定の方向に直線状に並んでいることが好ましい。
【００６６】
上記した実施形態では、反射板３及び面発光モジュール２を一本の接続部材６ａ（６ｂ）の中間部と端部のそれぞれに接続することで双方を吊り下げていたが、本発明はこれに限定されるものではない。接続部材６ａで取付部５と反射板３を繋ぎ、接続部材６ｂで反射板３と面発光モジュール２を繋ぐ。そして、そのそれぞれによって天井面３００に対して反射板３及び面発光モジュール２を吊り下げてもよい。
【００６７】
上記した実施形態では、板状部１０３ａ，１０３ｂの長さ及び板側錘部５１ａ，５１ｂの重量が同一のものを採用していたが、本発明はこれに限定されるものではなく、板側錘部５１ａ，５１ｂにおけるモーメントが釣り合えばよい。例えば、図１８のように、片方の板状部１０３ａが短く、他方の板状部１０３ｂが長い場合には、板側錘部５１ａの重量を重く、板側錘部５１ｂの重量を軽くしてもよい。
【００６８】
上記した実施形態では、面発光パネルとして有機ＥＬパネルを採用していたが、本発明は、これに限定されるものではない。面発光パネルとして、例えば、ＬＥＤを面状に並べたＬＥＤパネルや、ＬＥＤ及び拡散板を組み合わせたＬＥＤパネルを採用してもよい。
【００６９】
上記した実施形態では、面発光パネルとして平面パネルを採用したが、本発明はこれに限定されるものではなく、面発光パネルは曲面パネルであってもよい。
【００７０】
上記した実施形態では、面発光モジュールは、全体として平面状に広がった構造をしていたが、本発明はこれに限定されるものではなく、面発光モジュールは、全体として曲面状に広がっていてもよい。
【符号の説明】
【００７１】
１  照明装置
２  面発光モジュール
３，１０１  反射板
５  取付部
１０  面発光パネル
１５  発光面
２０  発光領域
３１ａ，３１ｂ  固定部（中央部）
３２ａ，３２ｂ  パネル側錘部（第２錘部）
５１ａ，５１ｂ  板側錘部（第１錘部）
５２  頂点
５３ａ，５３ｂ  底点
５６，１０５  設置空間
６０ａ，６０ｂ  隙間
１０３ａ，１０３ｂ  板状部
３００  天井面（被取付面）
Ｐ  仮想平面
【図１】
2018055807.tif 000003
【図２】
2018055807.tif 000004
【図３】
2018055807.tif 000005
【図４】
2018055807.tif 000006
【図５】
2018055807.tif 000007
【図６】
2018055807.tif 000008
【図７】
2018055807.tif 000009
【図８】
2018055807.tif 000010
【図９】
2018055807.tif 000011
【図１０】
2018055807.tif 000012
【図１１】
2018055807.tif 000013
【図１２】
2018055807.tif 000014
【図１３】
2018055807.tif 000015
【図１４】
2018055807.tif 000016
【図１５】
2018055807.tif 000017
【図１６】
2018055807.tif 000018
【図１７】
2018055807.tif 000019
【図１８】
2018055807.tif 000020